(57)【特許請求の範囲】
【請求項１】
歯科術に使用されるマトリックス引張り装置用の引張り把持具にして、リング（２）と、該リング内に同心に配置された回転ピン（３）とを有し、前記回転ピンとリングの双方が、引張られるマトリックスの端部を受容するのに適切な少なくとも１個のスロット（４，５）を設けられている引張り把持具において、前記回転ピン（３）を通る前記スロット（４）が、該回転ピン（３）の長手軸（ｈ）に平行な対称面（γ）を有し、前記スロット（４）の各側部が、２つの角部分（４′，４″）より構成され、前記側部は前記対称面（γ）の両側に鏡像状に配置されており、前記角部分（４′，４″）の双方が前記回転ピン（３）の長手軸（ｈ）に向かって収斂しており、前記角部分（４′，４″）の頂点（Ｂ，Ｃ）が互いに向かい合いかつ隣接していることを特徴とする引張り把持具。
【請求項２】
請求項１に記載の引張り把持具において、前記スロット（４）の側部の対応して収斂している角部分（４′，４″）が、その間に約３０°の角度（α）を形成している（図４）ことを特徴とする引張り把持具。
【請求項３】
請求項１または２に記載の引張り把持具において、前記リング（２）は、前記回転ピン（３）に面する内面上でかつ前記リングに設けたスロット（５）の位置に対して正反対の位置に、少なくとも前記リング（２）のその部分の高さにわたり延びている溝（７）が設けられており、該溝は前記回転ピン（３）のスロット（４）を構成する前記角部分（４′，４″）の一つに前面を対向させていることを特徴とする引張り把持具。
【請求項４】
請求項１から３のいずれか１項に記載の引張り把持具において、前記回転ピン（３）と係合される前記リング（２）の内面はその周辺に複数個の突起（８ｉ）を有し、該突起は、前記回転ピン（３）がこれら突起の間に導入されるとき所定の範囲で塑性的に変形可能であることを特徴とする引張り把持具。
【発明の詳細な説明】
【０００１】
【産業上の利用分野】
本発明は、歯科術（ｏｄｏｎｔｏｌｏｇｙ）における歯の再構成に使用されるマトリックス（ｍａｔｒｉｘ）を把持し引張るための引張り把持具に関し、特に、例えば先行特許出願ＰＣＴ／ＥＰ９３／０２９４０に同じ出願人により開示された装置に類似する引張り装置により作動されるのに適した種類の引張り把持具に関する。
【０００２】
【従来の技術とその問題点】
この種の引張り把持具は、同心の回転ピンに組み合わされた比較的固い材料で作られた外部リングより成る。リングもピンも引張られるマトリックスを受容するのに適した１個以上のスロットを有し、マトリックスは回転ピンにより駆動されて巻かれ、固定を維持される。
操作者が操作する引張り把持具のサイズが小さいためマトリックスを回転ピンのスロット内に導入することはしばしば困難であり、またこのマトリックスを回転ピンを用いて駆動するとき、滑ったり係合が解除されたりしないで、充分な信頼性をもってマトリックスをその内部に固定させることはさらに困難であるので、操作者に全手順を繰り返えさせることになる。
【０００３】
【本発明の目的および目的を達成するための手段】
本発明の目的は、このマトリックスの導入を容易にし、マトリックスが張力を与えられるように巻かれるまでマトリックスを固定する引張り把持具を提供することである。本目的は特許請求の範囲請求項１に記載の引張り把持具を用いて達成される。
【０００４】
【実施例】
本発明の引張り把持具の作用的特徴と、それにより得られる利点とを、付図を参照して以下詳細に開示する。
【０００５】
付図は一つの好適実施例を示すに過ぎず、多くの部品を違った形状や大きさをもつような他の実施例を排除するように本発明を拘束し限定するものと解釈すべきではない。
図１には、本発明の模範的な引張り把持具の回転ピン３が示されており、該回転ピンは、適当な引張り把持装置と組み合わされるに適した外形と小さいクラウン歯車９に関しては、従来技術から公知の回転ピンに相似している。
【０００６】
これに反しピン３の貫通スロット４は相違しており、図１及び図３から推察出来るように、スロット４はピン３の長手軸“ｈ”を通り該軸に平行に配置された平面γに関して対称であり、また、それぞれ二つの角部分（ａｎｇｌｅｄ  ｐｏｒｔｉｏｎｓ  ）４′，４″を有しかつほぼ鏡像的に配置された２つの側部より構成されている。角部分４′，４″はピンの長手軸ｈに向かって収斂しており、対をなす隣接する部分はそれぞれ頂点ＢとＣとを形成している。この２つの頂点ＢとＣの間の隙間は、マトリックスの厚さの２倍より小さく、マトリックスの端部を締結することが出来、それによって側部は僅かにはね返る。
【０００７】
付図に示した好適実施例においては、側部の２つの互いに対向して収斂する部分により形成される角度αは図４示されるように約３０°である。
スロット４の寸法を適切にすることにより、マトリックスの導入は、前記側部が外側に向かって広がっているため容易になり、さらにマトリックス６が、ピン３の長手軸ｈを越えて押された後では、側部から頂点ＢとＣにおいて加えられる圧力の作用によりその位置に把持され続ける。以上のこと全てが、マトリックス６を巻き、マトリックスに張力を与える引張る工程を確実、迅速に開始させる。
【０００８】
マトリックス６を回転ピン３上にさらに強固に保持するため、引張り把持具１のリング２の内面に、回転ピン３に対向して溝７を設けることが出来る（図３、図４）。かかる溝７を、マトリックスを導入するためリングに貫通して設けた複数個のスロット（付図の実施例には１個のスロットだけが存在している）の１個であるスロット５に対して正反対の位置に設けることにより、マトリックス６が溝７の凹部に衝接するまで導入されたとき、回転ピン３の限定された初期回転でも例えば矢印Ａの方向に生じた後で、最初溝７内に突出したマトリックス６の端部が回転中に曲げられて（図４）、リング２の内壁とピン３の外面との間の隙間内に置かれるようになり、縁６′を形成し、その結果該縁は、マトリックス６が引張り把持具内においてその導入方向と反対の方向に滑り出ることを防止している。このような操作により、マトリックス６は、単なる摩擦または類似の手段により提供されるものよりも信頼性のある効果的な機械的保持手段を有することになる。
リング２に溝７を、回転ピン３に特殊な形状のスロット４を共に設けた引張り把持具１により、マトリックス引張り操作全体の迅速性及び信頼性に関する有利な結果が得られる。
【０００９】
さらなる改良として、リング２と回転ピン３との間に弾性的で限定された強制結合が設けられる。このような結合を、上記部品の精密制御困難な成型段階において、高価につく精密な寸法を規定することにより実現する代わりに、リング２の内面に、周方向に配置された複数個の突起８ｉ（図２）が設けられている。これら突起は、該突起８ｉの外部接線周囲（ｅｘｔｅｒｎａｌｌｙ  ｔａｎｇｅｎｔ  ｃｉｒｃｕｍｆｅｒｅｎｃｅ）の直径より僅かに大きい外径を有する回転ピンが突起の間に導入されたとき、所定の範囲で塑性的に変形可能である。その結果、突起８ｉが圧縮により僅かに変形され、回転ピン３の支持手段として働く。
既に簡単に述べたように、当業者は、ここに開示し提示された実施例とは異なる他の実施例を想起し得るであろうことは明らかであろう。
【図面の簡単な説明】
【図１】本発明による引張り把持具の好適実施例の回転ピンの斜視図。
【図２】図１と同じ実施例のリングの斜視図。
【図３】マトリックスを挿入された、本発明の引張り把持具全体の斜視図。
【図４】回転ピンの回転に伴うマトリックスの端部状態を示す引張り把持具の部分的平面図。
【符号の説明】
１  引張り把持具
２  リング
３  回転ピン
４  スロット
４′，４″  角部分
５  スロット
６  マトリックス
７  溝
８ｉ  突起
９  クラウン歯車
γ  対称面
【図１】
0003554608.tif 000002
【図２】
0003554608.tif 000003
【図３】
0003554608.tif 000004
【図４】
0003554608.tif 000005